(57)【要約】【課題】空気清浄能力と加湿能力のそれぞれの性能の確保を個々に行うことができ、騒音の少ない加湿機能付き空気清浄機を得ることを目的とする。【解決手段】、吸い込み口１と吹き出し口２を有する本体３と、この本体３内に設けられ、吹き出し口２と連通された吐出口４ｃ及び両側に左吸気口４ａ、右吸気口４ｂを有するシロッコファン４と、吸い込み口１に設けられた空気清浄用フィルター７と、シロッコファン４の左吸気口４ａと空気清浄用フィルター７に隣接して設けられた開口部８とに連通され、内部に加湿手段９を有する加湿空気流路１０と、シロッコファン４の右吸気口４ｂと空気清浄用フィルター７に隣接して設けられた開口部１１とに連通された清浄空気流路１２とを備えている。【選択図】図１
2008039329.tif 000002
【特許請求の範囲】
【請求項１】
吸い込み口と吹き出し口を有する本体と、
この本体内に設けられ、前記吹き出し口と連通された吐出口及び両側に吸気口を有するシロッコファンと、
前記吸い込み口に設けられた空気清浄用フィルターと、
前記シロッコファンの一方の吸気口と前記空気清浄用フィルターに隣接して設けられた開口部とに連通され、内部に加湿手段を有する加湿空気流路と、
前記シロッコファンの他方の吸気口と前記空気清浄用フィルターに隣接して設けられた開口部とに連通された清浄空気流路と、
を備え、    
前記シロッコファンにより前記吸い込み口から吸い込まれ、前記空気清浄用フィルターで清浄された清浄空気及び加湿された加湿空気は、前記加湿空気流路と前記清浄空気流路との２つの流路で流れることを特徴とする加湿機能付き空気清浄機。
【請求項２】
前記シロッコファンの羽根車内を左右に仕切る仕切板により前記羽根車を左羽根車と右羽根車とに区画し、前記シロッコファンの前記左羽根車が前記加湿空気流路となり、前記シロッコファンの前記右羽根車が前記清浄空気流路となるようにしたことを特徴とする請求項１記載の加湿機能付き空気清浄機。
【請求項３】
前記左羽根車と前記右羽根車の回転軸方向幅の比を、前記加湿空気流路と清浄空気流路との風量の和が，予め定めた空気量となり、且つ、前記加湿空気流路の風量が予め定めた加湿量が得られるように定めたことを特徴とする請求項２記載の加湿機能付き空気清浄機。
【請求項４】
前記加湿空気流路内に、前記加湿空気を遮断する遮断手段を備えたことを特徴とする請求項１〜３のいずれかに記載の加湿機能付き空気清浄機。
【請求項５】
前記シロッコファンの両側の吸気口は、シロッコファンのスクロールに形成された左吸気口及び右吸気口からなり、
前記シロッコファンのスクロール内を前記左羽根車及び右羽根車に対応させて左右に仕切る仕切板により前記スクロールを左スクロールと右スクロールとに区画し、前記左スクロールが前記加湿空気流路となり、前記右スクロールが前記清浄空気流路となるようにしたことを特徴とする請求項２または３記載の加湿機能付き空気清浄機。
【請求項６】
前記加湿空気流路と前記清浄空気流路を連通する連通路と、
この連通路と前記加湿空気流路の分岐点に設けられ、前記連通路と前記加湿空気流路との開閉を各々切り換える切換手段と、
を備えたことを特徴とする請求項１〜３、５のいずれかに記載の加湿機能付き空気清浄機。
【発明の詳細な説明】
【技術分野】
【０００１】
この発明は加湿機能付き空気清浄機に関するものである。
【背景技術】
【０００２】
従来の加湿機能付きの空気清浄機は、吸い込み口と吹き出し口とを連通する空気流路内に配置されたフィルターと、フィルターの下流側に配置され、吸い込み口から本体ケース内に吸気した空気をフィルターを介して吹き出し口から吹き出す送風手段と、浄化された空気の一部を取り込む加湿流路と、加湿流路に配置された加湿手段とを備えている（例えば、特許文献１参照）。
【０００３】
【特許文献１】特開２００５−６１６５５号公報（段落番号００２２〜００２９、図１、図２）
【発明の開示】
【発明が解決しようとする課題】
【０００４】
従来の加湿機能付き空気清浄機では、空気流路で清浄された空気の一部を加湿流路に取り込んで加湿するものの、１つのファンで空気清浄用フィルター、気化フィルター、ファン及び吹き出し口という流路構成となっている。
製品の仕様となる空気清浄能力は、空気清浄用フィルターを通過する風量とフィルターの一過性効率で決まり、加湿能力は気化エレメントを通過する風量と気化フィルターの仕様で決まるので、空気清浄能力と加湿能力は風量が支配因子である。従って、空気清浄用フィルターと気化フィルターの仕様が決まると、従来の加湿機能付き空気清浄機では、自ずから、必要な風量が決まってしまい、加湿空気と清浄空気の風量を個々に設定してバランスをとるのは容易でないという問題があった。
【０００５】
また、加湿量が不足している場合，気化フィルターを通化する風量を増加させるが、その手段として，（ａ）ファンの回転数を上げる。（ｂ）ファンの羽根を厚くする。（ｃ）ファン外径を大きくする。といった方法がある。しかし、（ａ）は単位時間当たりに羽根が空気を掻き出す（空気が羽根に当たる）回数が増加するので騒音も大きくなる。（ｂ）、（ｃ）は騒音対策には有利であるが，本体も形状を変える必要があり、また、風路を変更せずに風量を増加すると，風速も増すので騒音は大きくなる。このような、バランス調整は従来の加湿機能付き空気清浄機のファンでは難しく、圧損や騒音が発生するという問題があった。
また、加湿流路では、空気流路から清浄された空気の一部を取り込むので、清浄空気と加湿空気の風量が低下するという問題があった。
【０００６】
この発明は上述のような課題を解決するためになされたもので、空気清浄能力と加湿能力のそれぞれの性能の確保を個々に行うことができ、騒音の少ない加湿機能付き空気清浄機を得ることを目的とする。
【課題を解決するための手段】
【０００７】
この発明に係る加湿機能付き空気清浄機は、吸い込み口と吹き出し口を有する本体と、
この本体内に設けられ、前記吹き出し口と連通された吐出口及び両側に吸気口を有するシロッコファンと、前記吸い込み口に設けられた空気清浄用フィルターと、前記シロッコファンの一方の吸気口と前記空気清浄用フィルターに隣接して設けられた開口部とに連通され、内部に加湿手段を有する加湿空気流路と、前記シロッコファンの他方の吸気口と前記空気清浄用フィルターに隣接して設けられた開口部とに連通された清浄空気流路と、を備え、前記シロッコファンにより前記吸い込み口から吸い込まれ、前記空気清浄用フィルターで清浄された清浄空気及び加湿された加湿空気は、前記加湿空気流路と前記清浄空気流路との２つの流路で流れるものである。
【発明の効果】
【０００８】
この発明は、両側に吸気口を有するシロッコファンと、吸い込み口に設けられた空気清浄用フィルターと、シロッコファンの一方の吸気口と空気清浄用フィルターに隣接して設けられた開口部とに連通され、内部に加湿手段を有する加湿空気流路と、シロッコファンの他方の吸気口と空気清浄用フィルターに隣接して設けられた開口部とに連通された清浄空気流路と、を備え、シロッコファンにより吸い込み口から吸い込まれ、空気清浄用フィルターで清浄された清浄空気及び加湿された加湿空気は、加湿空気流路と前記清浄空気流路との２つの流路で流れるので、空気清浄能力と加湿能力のそれぞれの性能の確保を個々に行うことができる。
【発明を実施するための最良の形態】
【０００９】
実施の形態１．
図１はこの発明の実施の形態１を示す加湿機能付き空気清浄機の断面図、図２は図１のＡ−Ａ断面図、図３は加湿機能付き空気清浄機のシロッコファンの斜視図である。
図１〜３において、加湿機能付き空気清浄機は、背面に配設された室内空気の吸い込み口１、上面に配設された吹き出し口２が設けられた本体３と、この本体内３に設けられ、吹き出し口２と連通された吐出口４ｃ及び左側に左吸気口４ａと、右側に右吸気口４ｂを有するシロッコファン４と、吸い込み口１に設けられた除塵フィルター５と脱臭フィルター６からなる空気清浄用フィルター７と、シロッコファン４の左吸気口４ａと空気清浄用フィルター７に隣接して設けられた開口部８とに連通され、内部に加湿手段９を有する加湿空気流路１０と、シロッコファン４の右吸気口４ｂと空気清浄用フィルター７に隣接して設けられた開口部１１とに連通された清浄空気流路１２とが設けられている。
【００１０】
シロッコファン４は、本体３の前面側に開口しているシロッコファン４の左吸気口４ａを形成する左ベルマウス１３ａと後面側に開口している右吸気口４ｂを形成する右ベルマウス１３ｂ及び吐出口４ｃを有するスクロール１３と、モーター１４により回転される羽根車１６を備え、羽根車１６は複数の羽根１７と、羽根１７を支持し、モーター１４の回転軸１５に固定されるボス部１８ａと開口部１８ｂを有する支持板１８から構成される。
【００１１】
加湿手段９は、本体３の前面側に設けられた水タンク１９と、本体３の下部に設けられ、水タンク１９から供給された水を溜める水受け皿２０と、水受け皿２０に立設された気化フィルター２１から構成される。気化フィルター２１は吸湿性の素材で形成されており、下部が水受け皿２０に水タンク１９から供給された水に浸漬されており湿っている。
【００１２】
また、シロッコファン４内においては、シロッコファン４の左吸気口４ａを形成する左ベルマウス１３ａと羽根車１６が加湿空気流路１０の一部を形成し、シロッコファン４の右吸気口４ｂを形成する右ベルマウス１３ｂと羽根車１６が清浄空気流路１２の一部を形成する。
また、加湿空気流路１０は本体３の前面側、清浄空気流路１２は本体３の後面側に配設されている。なお、本体３の前面には、水タンク１９の出し入れ等を行う扉２２が設けられている。また、水タンク側加湿空気流路１０ａは水タンク側加湿空気流路１０ａに対向するシロッコファン４の左吸気口４ａ側及び気化フィルター２１の前面側を略同一平面としている。
なお、図１において、黒の矢印は加湿空気流路１０内の気流を示し、白の矢印は清浄空気流路１２内の気流を示す。
【００１３】
次に、上述のように構成されたこの発明の実施の形態１の加湿機能付き空気清浄機の動作について図１により説明する。
運転スイッチ（図示せず）を入れることでシロッコファン４の羽根車１６が回転し、それによって吸い込み口１から室内の空気が吸い込まれ、除塵フィルター５、脱臭フィルター６を通過することにより空気が清浄される。この清浄された空気は、加湿空気流路１０の開口部８から流入し、加湿手段９の気化フィルター２１を通過して加湿され加湿空気となる。そして、この清浄、加湿された加湿空気は、水タンク側加湿空気流路１０ａを通過し、シロッコファン４のスクロール１３の左ベルマウス１３ａから吸い込まれる。
【００１４】
一方、除塵フィルター５、脱臭フィルター６を通過することにより清浄された空気は、清浄空気流路１２の開口部１１から流入し、シロッコファン４のスクロール１３の右ベルマウス１３ｂから吸い込まれる。そして、加湿空気と清浄空気が合流し、羽根車１６で加速され、スクロール１３の吐出口４ｃを介して吹き出し口２から吹き出される。
このように、シロッコファン４により吸い込み口１から吸い込まれ、空気清浄用フィルター７で清浄された清浄空気及び加湿された加湿空気は、加湿空気流路１０と清浄空気流路１２との２つの流路で流れ、シロッコファン４で合流し、吹き出し口２から吹き出される。
【００１５】
空気清浄能力は、空気清浄用フィルターを通過する風量とフィルターの一過性効率で決まるが、これは、加湿空気流路と清浄空気流路との２つの流路の風量が支配因子となる。  一方、加湿能力は、気化エレメントを通過する風量と気化フィルターの仕様で決まるが、加湿空気流路のみの風量が支配因子となる。また、圧損の軽い清浄空気流路では、より多い風量を確保することが可能となるが、圧損が高い加湿空気流路では加湿能力を確保することに重点をおき、流す風量を決定する。
【００１６】
以上のように、吸い込み口１と吹き出し口２を有する本体３と、この本体３内に設けられ、吹き出し口２と連通された吐出口４ｃ及び両側に左吸気口４ａ、右吸気口４ｂを有するシロッコファン４と、吸い込み口１に設けられた空気清浄用フィルター７と、シロッコファン４の一方の吸気口である左吸気口４ａと空気清浄用フィルター７に隣接して設けられた開口部８とに連通され、内部に加湿手段９を有する加湿空気流路１０と、シロッコファン４の他方の吸気口である右吸気口４ｂと空気清浄用フィルター７に隣接して設けられた開口部１１とに連通された清浄空気流路１２と、を備え、シロッコファン４により吸い込み口１から吸い込まれ、空気清浄用フィルター７で清浄された清浄空気及び加湿された加湿空気は、加湿空気流路１０と清浄空気流路１２との２つの流路で流れるので、一つのシロッコファン４でも、空気清浄能力と加湿能力のそれぞれの性能の確保を個々に行うことができる。
【００１７】
また、加湿空気流路と清浄空気流路との２つの流路を設けたので、圧損の軽い清浄空気流路では、より多い風量を確保することができ、圧損が高い加湿空気流路では加湿能力を確保することに重点をおき流す風量を決定することができ、必要な空気清浄能力と加湿能力を音のバランスをとりながら、設定することができ、静かでかつ十分な空気清浄能力と加湿能力を持たせることができる。
【００１８】
また、水タンク側加湿空気流路１０ａは水タンク側加湿空気流路１０ａに対向するシロッコファン４の左吸気口４ａ側及び気化フィルター２１の前面側を略同一平面としたので、本体３を薄くすることができるとともに騒音の発生を防ぐことができる。
【００１９】
実施の形態２．
実施の形態１では、両側に吸い込み口を有するシロッコファンを使用したが、本実施の形態は、羽根車を左右に仕切ったものを使用したものである。
図４はこの発明の実施の形態２を示す加湿機能付き空気清浄機の断面図、図５は図４のＡ−Ａ断面図、図６は図４のＢ−Ｂ断面図、図７はシロッコファンの斜視図、図８はシロッコファンの平面図及び側面図である。
【００２０】
図４〜８において、実施の形態１の図１と同一または相当部分には同一の符号を付し説明を省略する。
シロッコファン４は、シロッコファン４の羽根車１６内を左右に仕切る仕切板２３により左羽根車２４と右羽根車２５とに区画されている。仕切板２３はお碗形状をなし左羽根車２４の羽根２４ａと右羽根車２５の羽根２５ａを支持する支持板を兼ねており、お碗形状の底部はシロッコファン４の左吸気口４ａ側に位置し、中心にモーター１４の回転軸１５を固定するボス部２３ａが設けられている。そして、シロッコファン４の左羽根車２４が加湿空気流路１０の一部を形成し、右羽根車２５が清浄空気流路１２の一部を形成する。
【００２１】
次に、上述のように構成されたこの発明の実施の形態２の加湿機能付き空気清浄機の動作について図４により説明する。
左羽根車２４と右羽根車２５は仕切板２３で区画されているが、この左羽根車２４と右羽根車２５の回転軸方向の幅の比Ｗ１，Ｗ２については、前記清浄空気流路と前記加湿空気流路との風量の和が，予め定めた広さの使用対象となる部屋を浄化するのに必要な空気量となるよう，且つ、前記加湿空気流路の風量が前記部屋を加湿するのに必要な加湿量が得られる風量となるように定める。
【００２２】
使用対象となる部屋の広さから空気清浄能力及び加湿能力は、部屋の広さに対し標準として設定された空気清浄能力及び加湿量に基づいて定められる。空気清浄能力は、空気清浄用フィルターを通過する風量とフィルターの一過性効率で決まり、加湿能力は、気化エレメントを通過する風量と気化フィルターの仕様で決まるが、風量が支配的なので、幅の比Ｗ１，Ｗ２は基本的には風量の比から定め、詳細は各々の風路の圧損を考慮し、実験等を行った結果から定める。
【００２３】
また、風量については、圧損の軽い清浄空気流路では、より多い風量を確保するようにし、圧損が高い加湿空気流路では加湿能力を確保することに重点をおいて流す風量を定める。
また、加湿フィルターの体積を大きくすれば同一風量でも加湿量が増加し、空気清浄用フィルターの面積を広くすると圧損が減り風量が増加でき，濾し取れる埃量が増える等の理由から除塵能力が増加するが、製品本体の大きさから制限される。
【００２４】
次に、加湿機能付き空気清浄機の動作は、まず、運転スイッチ（図示せず）を入れると、シロッコファン４の左羽根車２４、右羽根車２５が回転し、それによって吸い込み口１から室内の空気が吸い込まれ、除塵フィルター５、脱臭フィルター６を通過することにより空気が清浄される。この清浄された空気は、加湿空気流路１０の開口部８から流入し、加湿手段９の気化フィルター２１を通過して加湿され加湿空気となる。そして、この清浄、加湿された加湿空気は、水タンク側加湿空気流路１０ａを通過し、シロッコファン４のスクロール１３の左ベルマウス１３ａから吸い込まれ、左羽根車２４で加速され、スクロール１３の吐出口４ｃへ吐出される。
【００２５】
一方、除塵フィルター５、脱臭フィルター６を通過することにより清浄された空気は、清浄空気流路１２の開口部１１から流入し、シロッコファン４のスクロール１３の右ベルマウス１３ｂから吸い込まれ右羽根車２５で加速され、スクロール１３の吐出口４ｃへ吐出される。そして、加湿空気と清浄空気が吐出口４ｃで合流して吹き出し口２から吹き出される。
【００２６】
以上のように、シロッコファン４の羽根車内を左右に仕切る仕切板２３により羽根車を左羽根車２４と右羽根車２５とに区画し、シロッコファン４の左羽根車２４が加湿空気流路１０となり、シロッコファン４の右羽根車２５が清浄空気流路１２となるようにしたので、加湿空気と清浄空気が羽根車内で合流するよりも左羽根車２４と右羽根車２５を通過後に合流するので、空気清浄能力と加湿能力のそれぞれの性能の確保を個々によりよく行うことができる。
【００２７】
また、左羽根車２４と右羽根車２５の回転軸方向幅の比を、加湿空気流路１０と清浄空気流路１２との風量の和が，予め定めた空気量となり、且つ、加湿空気流路１０の風量が予め定めた加湿量が得られるように定めたので、必要な空気清浄能力と加湿能力を音のバランスをとりながらよりよく設定でき、また、静かでかつ十分な空気清浄能力と加湿能力を持たせることをより効果的にすることができる。
【００２８】
なお、本実施の形態では、左羽根車２４と右羽根車２５の回転軸方向の幅の比Ｗ１，Ｗ２を変えたが、左羽根車２４と右羽根車２５の羽根２４ａ，２４ｂの枚数の比を変えてもよく、また、左羽根車２４と右羽根車２５の直径の比を変えてもよい。この場合は、左羽根車２４と右羽根車２５の直径に合わせて、スクロール１３の大きさも変える。
【００２９】
実施の形態３．
実施の形態２では、羽根車を左右に仕切ったものを使用したが、本実施の形態はスクロールも左右に仕切ったものである。
図９はこの発明の実施の形態３を示す加湿機能付き空気清浄機の断面図である。
図９において、実施の形態２の図４と同一または相当部分には同一の符号を付し説明を省略する。
シロッコファン４の両側の吸気口は、シロッコファン４のスクロール１３に形成された左吸気口４ａ及び右吸気口４ｂからなり、シロッコファン４のスクロール１３内を左羽根車２４及び右羽根車２５に対応させて左右に仕切る仕切板２７によりスクロール１３を左スクロール２９と右スクロール３０とに区画するとともに、吐出口４ｃを左吐出口２９ａと右吐出口３０ａに区画している。左スクロール２９、左吐出口２９ａが加湿空気流路の一部を形成し、右スクロール３０、右吐出口３０ａが清浄空気流路の一部を形成している。
【００３０】
次に、上述のように構成されたこの発明の実施の形態２の加湿機能付き空気清浄機の動作につい説明する。
運転スイッチを入れると、シロッコファン４の左羽根車２４、右羽根車２５が回転し、それによって吸い込み口１から室内の空気が吸い込まれ、除塵フィルター５、脱臭フィルター６を通過することにより空気が清浄される。この清浄された空気は、加湿空気流路１０の開口部８から流入し、加湿手段９の気化フィルター２１を通過して加湿され加湿空気となる。そして、この清浄、加湿された加湿空気は、水タンク側加湿空気流路１０ａを通過し、シロッコファン４のスクロール１３の左ベルマウス１３ａから吸い込まれ、左羽根車２４で加速され、左スクロール２９を経て左吐出口２９ａへ吐出される。
【００３１】
一方、除塵フィルター５、脱臭フィルター６を通過することにより清浄された空気は、清浄空気流路１２の開口部１１から流入し、シロッコファン４のスクロール１３の右ベルマウス１３ｂから吸い込まれ右羽根車２５で加速され、右スクロール３０を経て右吐出口３０ａへ吐出される。そして、加湿空気と清浄空気が吹き出し口２から吹き出される。
なお、加湿空気流路１０の圧損が大きいため、スクロール１３の仕切板２７がないときは，加湿側の左羽根車２４が清浄空気流路１２からも空気を吸っているが，スクロール１３を仕切るとその現象がなくなるため風量は減るが，加湿空気流路１０からしっかり吸うため，加湿量が増加する。
【００３２】
以上のように、シロッコファン４の両側の吸気口は、シロッコファン４のスクロール１３に形成された左吸気口４ａ及び右吸気口４ｂからなり、シロッコファン４のスクロール１３内を左羽根車２４及び右羽根車２５に対応させて左右に仕切る仕切板２７によりスクロール１３を左スクロール２９と右スクロール３０とに区画するとともに、吐出口４ｃを左吐出口２９ａと右吐出口３０ａに区画している。左スクロール２９、左吐出口２９ａが加湿空気流路の一部を形成し、右スクロール３０、右吐出口３０ａが清浄空気流路の一部を形成しているので、空気清浄能力と加湿能力のそれぞれの性能の確保を個々に行うのを、さらに、より効果的にすることができる。
【００３３】
また、必要な空気清浄能力と加湿能力を音のバランスをとりながらさらによく設定でき、静かでかつ十分な空気清浄能力と加湿能力を持たせることを、さらに、より効果的にすることができる。
【００３４】
実施の形態４．
実施の形態１〜３では空気の加湿と清浄の両方を行う場合を示したが、本実施の形態は空気の清浄のみを行うものである。
図１０はこの発明の実施の形態４を示す加湿機能付き空気清浄機の断面図である。
図１０は、実施の形態１の図１において、流路遮断弁２８を水タンク側加湿空気通路１０ａを設けたものであり、他は同じなので説明を省略する。
流路遮断弁２８は通常は、点線で示すように水タンク側加湿空気通路１０ａを開放している。
【００３５】
この構成において、空気を加湿せず清浄のみ行うときは、操作部（図示せず）により流路遮断弁２８で水タンク側加湿空気通路１０ａを遮断する。そして、運転スイッチを入れると、シロッコファン４の羽根車１６が回転し、それによって吸い込み口１から室内の空気が吸い込まれ、除塵フィルター５、脱臭フィルター６を通過することにより空気が清浄される。この清浄された空気は、清浄空気流路１２の開口部１１から流入し、シロッコファン４のスクロール１３の右ベルマウス１３ｂから吸い込まれる。そして、加湿空気と清浄空気が合流し、羽根車１６で加速されスクロール１３の吐出口４ｃを介して吹き出し口２から吹き出される。
【００３６】
以上のように、加湿空気流路１０内に、加湿空気を遮断する流路遮断弁２８を備えたので、加湿が不要なときは清浄空気のみとすることができる。
また、流路が清浄空気流路のみとなっても、シロッコファン４の羽根１７全体で吸い込むので風量は低下しないようにすることができる。
【００３７】
なお、実施の形態２の場合も同様に、加湿空気流路１０内に、加湿空気を遮断する流路遮断弁２８を備えてもよい。仕切板２３により左羽根車２４と右羽根車２５に分けられているが、清浄空気がスクロール１３内で加湿空気側の左羽根車２４に回り込んで吐出されるので風量は低下しない。
【００３８】
実施の形態５．
実施の形態４では、空気の清浄のみを行う場合を示したが、実施の形態３で示したように、羽根車とスクロールの両方に仕切りがある場合は、実施の形態４で示した流路遮断弁２８で加湿空気流路１０を遮断した場合、流路遮断弁２８から下流の流路が水タンク側加湿空気流路１０ａ、シロッコファン４の左羽根車２４、左スクロール２９、左吐出口２９ａが連通されており、左羽根車２４が回転すると吸い込みが遮断されるので、左羽根車２４の回転が制動されてしまう。そこで、本実施の形態は、実施の形態４でも空気の清浄のみを行えるようにしたものである。
【００３９】
図１１はこの発明の実施の形態５を示す加湿機能付き空気清浄機の断面図である。
図１１は、実施の形態３の図９において、加湿空気流路１０と清浄空気流路１２を連通する連通路３１と、連通路３１と加湿空気流路１０との分岐点に設けられ、連通路３１と加湿空気流路１０との開閉を各々切り換える切換弁３２を設けたものであり、他は同じなので説明を省略する。通常、切換弁３２は点線で示すように連通路３１を閉じている。
【００４０】
この構成において、空気を加湿せず清浄のみ行うときは、操作部により切換弁３２で連通路３１を開放し、加湿空気流路１０を閉じる。そして、運転スイッチを入れると、シロッコファン４の左羽根車２４、右羽根車２５が回転し、それによって吸い込み口１から室内の空気が吸い込まれ、除塵フィルター５、脱臭フィルター６を通過することにより空気が清浄される。この清浄された空気は、清浄空気流路１２の開口部１１から流入し、シロッコファン４のスクロール１３の右ベルマウス１３ｂから吸い込まれ右羽根車２５で加速され、右スクロール３０を経て右吐出口３０ａへ吐出される。
【００４１】
このとき、清浄空気流路１２の開口部１１から流入した清浄空気の一部が、連通路３１を介して、加湿空気流路１０に流入し、水タンク側加湿空気流路１０ａを通過し、シロッコファン４のスクロール１３の左ベルマウス１３ａから吸い込まれ、左羽根車２４で加速され、左スクロール２９を経て左吐出口２９ａへ吐出される。
【００４２】
以上のように、加湿空気流路１０と清浄空気流路１２を連通する連通路３１と、連通路３１と加湿空気流路１０との分岐点に設けられ、連通路３１と加湿空気流路１０との開閉を各々切り換える切換弁３２を設けたので、左羽根車２４、右羽根車２５、左スクロール２９、右スクロール３０と仕切られていても、切換弁３２により加湿が不要なときは清浄空気のみとすることができる。
また、清浄空気の風量が増加するので、加湿も行うときより、モーター１４の出力を低下させて省エネを行うことができる。
【図面の簡単な説明】
【００４３】
【図１】この発明の実施の形態１を示す加湿機能付き空気清浄機の断面図である。
【図２】図１のＡ−Ａ断面図である。
【図３】この発明の実施の形態１を示す加湿機能付き空気清浄機のシロッコファンの斜視図である。
【図４】この発明の実施の形態２を示す加湿機能付き空気清浄機の断面図である。
【図５】図４のＡ−Ａ断面図である。
【図６】図４のＢ−Ｂ断面図である。
【図７】この発明の実施の形態２を示す加湿機能付き空気清浄機のシロッコファンの斜視図である。
【図８】この発明の実施の形態２を示す加湿機能付き空気清浄機のシロッコファンの平面図及び側面図である。
【図９】この発明の実施の形態３を示す加湿機能付き空気清浄機の断面図である。
【図１０】この発明の実施の形態４を示す加湿機能付き空気清浄機の断面図である。
【図１１】この発明の実施の形態５を示す加湿機能付き空気清浄機の断面図である。
【符号の説明】
【００４４】
１  吸い込み口、２  吹き出し口、３  本体、４  シロッコファン、４ａ  左吸気口、４ｂ  右吸気口、４ｃ  吐出口、５  除塵フィルター、６  脱臭フィルター、７  空気清浄用フィルター、８  開口部、９  加湿手段、１０  加湿空気流路、１０ａ  水タンク側加湿空気流路、１１  開口部、１２  清浄空気流路、１３  スクロール、１６  羽根車、１７  羽根、１８  支持板、２０  水受け皿、２１  気化フィルター、２３  仕切板、２４  左羽根車、２４ａ  羽根、２５  右羽根車、２５ａ  羽根、２７  仕切板、２８  流路遮断弁、２９  左スクロール、２９ａ  左吐出口、３０  右スクロール、３０ａ  右吐出口、３１  連通路、３２  切換弁。
【図１】
2008039329.tif 000003
【図２】
2008039329.tif 000004
【図３】
2008039329.tif 000005
【図４】
2008039329.tif 000006
【図５】
2008039329.tif 000007
【図６】
2008039329.tif 000008
【図７】
2008039329.tif 000009
【図８】
2008039329.tif 000010
【図９】
2008039329.tif 000011
【図１０】
2008039329.tif 000012
【図１１】
2008039329.tif 000013